(57)【要約】【課題】構内における携帯端末から一度のダウンロード要求のみで、データ容量の大きさに関わらず、最小限のネットワーク負荷と通信コストで確実にデータのダウンロードを行う。【解決手段】携帯端末２と、基地局３と、サーバ４と、携帯端末の通信可能域にある基地局を選択する交換機５とで構成され、携帯端末がデータ取得要求を基地局及び交換機を介してサーバに送信した際に、サーバが取得要求を受けたデータを交換機及び基地局を経て携帯端末にデータを送信し、携帯端末がデータを取得するシステム１であって、サーバは、携帯端末の移動経路情報を記憶し、携帯端末は、データ取得要求を基地局及び交換機を介してサーバに送信し、サーバは、取得要求を受けたデータ及び移動経路情報を交換機に送信し、交換機は、移動経路情報に基づいて基地局にデータを送信し、基地局はデータを携帯端末に送信する。【選択図】図１
2007300566.tif 000002
【特許請求の範囲】
【請求項１】
携帯端末装置と、該携帯端末装置と通信する基地局と、前記携帯端末装置及び前記基地局と通信するサーバ装置と、前記基地局及び前記サーバ装置と通信し、前記携帯端末装置の通信可能域に存在する基地局を選択する交換機とで構成され、前記携帯端末装置が、データ取得要求を前記基地局及び前記交換機を介して前記サーバ装置に送信した際に、前記サーバ装置が前記取得要求を受けたデータを前記交換機に送信し、該データを受信した前記交換機が前記基地局に該データを送信し、該データを受信した前記基地局が前記携帯端末装置に該データを送信し、前記携帯端末装置が該データを取得するデータ取得システムであって、
前記サーバ装置は、前記携帯端末装置の移動経路情報を記憶し、
前記携帯端末装置は、データ取得要求を前記基地局及び前記交換機を介して前記サーバ装置に送信し、
該サーバ装置は、前記取得要求を受けたデータ及び前記移動経路情報を前記交換機に送信し、
該交換機は、前記移動経路情報に基づいて、前記基地局に前記データを送信し、
該基地局は、該データを前記携帯端末装置に送信することを特徴とするデータ取得システム。
【請求項２】
前記交換機は、前記携帯端末装置の前記移動経路情報によれば、該携帯端末装置の移動経路上に複数の基地局が存在する場合には、前記データを複数のデータに分割して前記複数の基地局に送信し、
該複数の基地局の各々は、前記分割データを前記携帯端末装置に送信し、
該携帯端末装置は、受信した前記分割データを合成することを特徴とする請求項１に記載のデータ取得システム。
【請求項３】
前記携帯端末装置の前記移動経路情報は、該携帯端末装置により入力され、前記サーバ装置に送信されることを特徴とする請求項１又は２に記載のデータ取得システム。
【請求項４】
前記携帯端末装置の前記移動経路情報は、前記交換機により、該携帯端末装置の過去の移動経路より推測され、前記サーバ装置に送信されることを特徴とする請求項１又は２に記載のデータ取得システム。
【請求項５】
前記携帯端末装置が、該携帯端末装置の移動経路情報と異なる経路を移動した場合には、前記基地局は、前記データ又は前記分割データを、前記携帯端末装置に送信可能となるまで保持し、該携帯端末装置と通信可能となった際に、前記データ又は前記分割データを前記携帯端末装置に送信し、該データ又は該分割データを削除することを特徴とする請求項１乃至４のいずれかに記載のデータ取得システム。
【請求項６】
携帯端末装置と、該携帯端末装置と通信する基地局と、前記携帯端末装置及び前記基地局と通信するサーバ装置と、前記基地局及び前記サーバ装置と通信し、前記携帯端末装置の通信可能域に存在する基地局を選択する交換機とで構成され、前記携帯端末装置が、データ取得要求を前記基地局及び前記交換機を介して前記サーバ装置に送信した際に、前記サーバ装置が前記取得要求を受けたデータを前記交換機に送信し、該データを受信した前記交換機が前記基地局に該データを送信し、該データを受信した前記基地局が前記携帯端末装置に該データを送信し、前記携帯端末装置が該データを取得するデータ取得システムを制御するためのプログラムであって、
前記サーバ装置が、前記携帯端末装置の移動経路情報を記憶するステップと、
前記携帯端末装置が、データ取得要求を前記基地局及び前記交換機を介して前記サーバ装置に送信するステップと、
該サーバ装置が、前記取得要求を受けたデータ及び前記移動経路情報を前記交換機に送信するステップと、
該交換機が、前記移動経路情報に基づいて、前記基地局に前記データを送信するステップと、
該基地局が、該データを前記携帯端末装置に送信するステップとを備えることを特徴とするプログラム。
【請求項７】
前記交換機が、前記携帯端末装置の前記移動経路情報によれば、該携帯端末装置の移動経路上に複数の基地局が存在する場合には、前記データを複数のデータに分割して前記複数の基地局に送信するステップと、
該複数の基地局の各々が、前記分割データを前記携帯端末装置に送信するステップと、
該携帯端末装置が、受信した前記分割データを合成するステップとを備えることを特徴とする請求項６に記載のプログラム。
【請求項８】
前記携帯端末装置の前記移動経路情報を、該携帯端末装置により入力し、前記サーバ装置に送信するステップを備えることを特徴とする請求項６又は７に記載のプログラム。
【請求項９】
前記携帯端末装置の前記移動経路情報を、前記交換機により、該携帯端末装置の過去の移動経路より推測し、前記サーバ装置に送信するステップを備えることを特徴とする請求項６又は７に記載のプログラム。
【請求項１０】
前記携帯端末装置が、該携帯端末装置の移動経路情報と異なる経路を移動した場合には、前記基地局が、前記データ又は前記分割データを、前記携帯端末装置に送信可能となるまで保持し、該携帯端末装置と通信可能となった際に、前記データ又は前記分割データを前記携帯端末装置に送信し、該データ又は該分割データを削除するステップを備えることを特徴とする請求項６乃至９のいずれかに記載のプログラム。
【請求項１１】
基地局及び交換機を介してサーバ装置と通信する携帯端末装置であって、
データ取得要求を前記基地局及び前記交換機を介して前記サーバ装置に送信し、
該携帯端末装置の移動経路情報に基づいて前記サーバ装置から前記基地局に送信された前記データを取得することを特徴とする携帯端末装置。
【請求項１２】
前記データは、複数の基地局に前記交換機から分割して送信されたデータであって、
受信した該分割データを合成することを特徴とする請求項１１に記載の携帯端末装置。
【請求項１３】
前記移動経路情報は、該携帯端末装置から入力されることを特徴とする請求項１１又は１２に記載の携帯端末装置。
【請求項１４】
交換機を介して携帯端末装置とサーバ装置との間の通信を行う基地局であって、
前記サーバ装置から前記携帯端末装置の前記移動経路情報に基づいて送信されたデータを前記交換機を介して受信し、
受信した該データを記憶し、
記憶した該データを前記携帯端末装置に送信し、
該データを消去することを特徴とする基地局。
【請求項１５】
基地局及びサーバ装置と通信し、携帯端末装置の通信可能域に存在する基地局を選択する交換機であって、
前記サーバ装置から前記携帯端末装置の前記移動経路情報に基づいて送信されたデータを受信し、
受信した該データ及び前記移動経路情報を記憶し、
記憶した該データを該移動経路情報に基づいて前記基地局に送信し、
該データ及び前記移動経路情報を消去することを特徴とする交換機。
【請求項１６】
前記データを、前記移動経路情報に基づいて複数の基地局に分割して送信すること特徴とする請求項１５に記載の交換機。
【請求項１７】
前記携帯端末装置の前記移動経路情報は、該交換機により、該携帯端末装置の過去の移動経路より推測され、前記サーバ装置に送信されることを特徴とする請求項１５又は１６に記載の交換機。
【請求項１８】
交換機及び基地局を介して携帯端末装置と通信するサーバ装置であって、
前記携帯端末装置の移動経路情報を記憶し、
該携帯端末装置からデータ取得要求を受信すると、
前記取得要求を受けたデータ及び前記移動経路情報を前記交換機に送信することを特徴とするサーバ装置。
【発明の詳細な説明】
【技術分野】
【０００１】
本発明は、データ取得システムに関し、特に、ＩＰ−ＰＢＸ（ＩＰ交換機）と、無線ＬＡＮとに接続された携帯端末装置が移動しながら、コンテンツ、音楽、動画、画像等のデータを確実に取得することができるデータ取得システムに関する。
【背景技術】
【０００２】
従来、例えば、特許文献１には、車両等の移動体に搭載される情報通信端末装置として、データのダウンロード時に、ＧＰＳ機能によって車両の位置を特定し、データサイズ、移動体の現在位置、経路、各ＡＰ（Access Point）のデータから、最も迅速にデータをダウンロードすることのできるＡＰを選択し、そのサービスエリアを通過する経路を案内することで自動的にダウンロードを行う情報通信端末装置が開示されている。
【０００３】
また、特許文献２には、移動車両の車載端末装置からコンテンツのダウンロードを行う際に、車両の位置近傍の無線基地局に応じて、一括ダウンロード方式と分割ダウンロード方式とを使い分ける移動体情報配信システムが提案されている。
【０００４】
しかし、上記特許文献１に記載の情報通信端末装置は、情報通信端末装置が最も迅速にデータをダウンロードすることのできる経路へと移動体を案内するが、移動体が情報通信端末装置の案内通りに移動しなければ効果を発揮しない。また、一つのエリア内でダウンロード可能なＡＰを検索するため、データ容量が大きい場合には、該当するＡＰが見つからず、効果を発揮することができないという問題があった。
【０００５】
また、特許文献２に記載の移動体情報配信システムでは、ＡＰの設置密度が高い場合には、分割ダウンロード、設置密度が低い場合には、一括ダウンロードを行うため、設置密度が低いエリアでは、異なるＡＰのエリア間を跨いだダウンロードを行うことができず、ダウンロードが完了するまで同一エリア内に留まらなければならないという問題があった。
【０００６】
そこで、上記問題を解決するため、例えば、特許文献３には、車内に搭載されたカーナビゲーション装置を利用し、データ配信サーバーが移動車両の移動経路を特定し、先読みした移動先のＡＰに予めデータを分割して転送しておくことでデータを配信するデータ配信システム等が提案されている。
【０００７】
また、特許文献４には、無線端末が送信する情報に基づいて、無線端末の未来の移動経路、及び無線基地局と無線端末との通信可能時刻を予測し、データを無線端末に転送する可能性がある無線基地局に対し、予測した通信可能時刻に基づくタイミングでデータ配信制御装置から特定の無線基地局に対して情報を送信する通信制御方法等が提案されている。
【０００８】
さらに、特許文献５には、無線端末が送信する情報に基づいて、無線端末の未来の移動経路を予測し、無線端末に送信すべきデータを大きさが等しい複数のデータブロックに分割し、データブロックを無線端末に転送する可能性がある複数の無線基地局に対し、同一のデータブロックをデータ配信制御装置から送信する通信制御方法等が提案されている。
【０００９】
【特許文献１】特開２００４−１９８３１５号公報
【特許文献２】特開２００４−１４０５２５号公報
【特許文献３】特開２００４−１７１２９４号公報
【特許文献４】特開２００３−１５２６２７号公報
【特許文献５】特開２００３−３２２５３９号公報
【発明の開示】
【発明が解決しようとする課題】
【００１０】
しかし、上記特許文献３乃至５に記載の移動体情報配信システム等では、電車やバスのように、予め移動体が移動する経路が決まっている車両内及び車両自体からダウンロード要求を行う場合しかデータを取得することができないという問題があった。
【００１１】
そこで、本発明は、上記従来の移動体情報配信システム等における問題点に鑑みてなされたものであって、構内における携帯端末によってデータのダウンロードを行うにあたって、一度のダウンロード要求のみで、データ容量の大きさに関わらず、最小限のネットワーク負荷と通信コストで、確実にダウンロードを行うことのできるデータ取得システム等を提供することを目的とする。
【課題を解決するための手段】
【００１２】
上記目的を達成するため、本発明は、携帯端末装置と、該携帯端末装置と通信する基地局と、前記携帯端末装置及び前記基地局と通信するサーバ装置と、前記基地局及び前記サーバ装置と通信し、前記携帯端末装置の通信可能域に存在する基地局を選択する交換機とで構成され、前記携帯端末装置が、データ取得要求を前記基地局及び前記交換機を介して前記サーバ装置に送信した際に、前記サーバ装置が前記取得要求を受けたデータを前記交換機に送信し、該データを受信した前記交換機が前記基地局に該データを送信し、該データを受信した前記基地局が前記携帯端末装置に該データを送信し、前記携帯端末装置が該データを取得するデータ取得システムであって、前記サーバ装置は、前記携帯端末装置の移動経路情報を記憶し、前記携帯端末装置は、データ取得要求を前記基地局及び前記交換機を介して前記サーバ装置に送信し、該サーバ装置は、前記取得要求を受けたデータ及び前記移動経路情報を前記交換機に送信し、該交換機は、前記移動経路情報に基づいて、前記基地局に前記データを送信し、該基地局は、該データを前記携帯端末装置に送信することを特徴とする。
【００１３】
そして、本発明によれば、サーバ装置が携帯端末装置の移動経路情報を記憶し、前記取得要求を受けたデータ及び前記移動経路情報を前記交換機に送信し、該交換機は、前記移動経路情報に基づいて、前記基地局に前記データを送信し、該基地局は、該データを前記携帯端末装置に送信するため、予め携帯端末装置が移動する経路が決定されていなくとも、一度のダウンロード要求のみで、最小限のネットワーク負荷と通信コストでダウンロードすることができる。
【００１４】
前記データ取得システムにおいて、前記交換機は、前記携帯端末装置の前記移動経路情報によれば、該携帯端末装置の移動経路上に複数の基地局が存在する場合には、前記データを複数のデータに分割して前記複数の基地局に送信し、該複数の基地局の各々は、前記分割データを前記携帯端末装置に送信し、該携帯端末装置は、受信した前記分割データを合成することができる。これによって、データ容量の大きさに関わらず、確実にダウンロードを行うことができる。
【００１５】
前記データ取得システムにおいて、前記携帯端末装置の前記移動経路情報を、該携帯端末装置により入力し、前記サーバ装置に送信してもよく、前記交換機により、該携帯端末装置の過去の移動経路より推測し、前記サーバ装置に送信してもよい。
【００１６】
また、前記データ取得システムにおいて、前記携帯端末装置が、該携帯端末装置の移動経路情報と異なる経路を移動した場合には、前記基地局は、前記データ又は前記分割データを、前記携帯端末装置に送信可能となるまで保持し、該携帯端末装置と通信可能となった際に、前記データ又は前記分割データを前記携帯端末装置に送信し、該データ又は該分割データを削除することができる。これによって、携帯端末装置が移動経路情報と異なる経路を移動した場合でも、確実にデータをダウンロードすることができる。
【００１７】
さらに、本発明は、携帯端末装置と、該携帯端末装置と通信する基地局と、前記携帯端末装置及び前記基地局と通信するサーバ装置と、前記基地局及び前記サーバ装置と通信し、前記携帯端末装置の通信可能域に存在する基地局を選択する交換機とで構成され、前記携帯端末装置が、データ取得要求を前記基地局及び前記交換機を介して前記サーバ装置に送信した際に、前記サーバ装置が前記取得要求を受けたデータを前記交換機に送信し、該データを受信した前記交換機が前記基地局に該データを送信し、該データを受信した前記基地局が前記携帯端末装置に該データを送信し、前記携帯端末装置が該データを取得するデータ取得システムを制御するためのプログラムであって、前記サーバ装置が、前記携帯端末装置の移動経路情報を記憶するステップと、前記携帯端末装置が、データ取得要求を前記基地局及び前記交換機を介して前記サーバ装置に送信するステップと、該サーバ装置が、前記取得要求を受けたデータ及び前記移動経路情報を前記交換機に送信するステップと、該交換機が、前記移動経路情報に基づいて、前記基地局に前記データを送信するステップと、該基地局が、該データを前記携帯端末装置に送信するステップとを備えることを特徴とする。
【００１８】
このプログラムを用いることにより、上述のように、サーバ装置が携帯端末装置の移動経路情報を記憶し、前記取得要求を受けたデータ及び前記移動経路情報を前記交換機に送信し、該交換機は、前記移動経路情報に基づいて、前記基地局に前記データを送信し、該基地局は、該データを前記携帯端末装置に送信するため、予め携帯端末装置が移動する経路が決定されていなくとも、一度のダウンロード要求のみで、最小限のネットワーク負荷と通信コストでダウンロードすることができる。
【００１９】
前記プログラムにおいて、前記交換機が、前記携帯端末装置の前記移動経路情報によれば、該携帯端末装置の移動経路上に複数の基地局が存在する場合には、前記データを複数のデータに分割して前記複数の基地局に送信するステップと、該複数の基地局の各々が、前記分割データを前記携帯端末装置に送信するステップと、該携帯端末装置が、受信した前記分割データを合成するステップとを備えることができる。これによって、データ容量の大きさに関わらず、確実にダウンロードを行うことができる。
【００２０】
また、前記プログラムにおいて、前記携帯端末装置の前記移動経路情報を、該携帯端末装置により入力し、前記サーバ装置に送信するステップを備えてもよく、前記携帯端末装置の前記移動経路情報を、前記交換機により、該携帯端末装置の過去の移動経路より推測し、前記サーバ装置に送信するステップを備えてもよい。
【００２１】
さらに、前記プログラムにおいて、前記携帯端末装置が、該携帯端末装置の移動経路情報と異なる経路を移動した場合には、前記基地局が、前記データ又は前記分割データを、前記携帯端末装置に送信可能となるまで保持し、該携帯端末装置と通信可能となった際に、前記データ又は前記分割データを前記携帯端末装置に送信し、該データ又は該分割データを削除するステップを備えることができる。これによって、携帯端末装置が移動経路情報と異なる経路を移動した場合でも、確実にデータをダウンロードすることができる。
【００２２】
また、本発明は、基地局及び交換機を介してサーバ装置と通信する携帯端末装置であって、データ取得要求を前記基地局及び前記交換機を介して前記サーバ装置に送信し、該携帯端末装置の移動経路情報に基づいて前記サーバ装置から前記基地局に送信された前記データを取得することを特徴とする。
【００２３】
この携帯端末装置によれば、該携帯端末装置の移動経路情報に基づいて前記サーバ装置から前記基地局に送信された前記データを取得することができるため、予め携帯端末装置が移動する経路が決定されていなくとも、一度のダウンロード要求のみで、最小限のネットワーク負荷と通信コストでダウンロードすることができる。
【００２４】
前記携帯端末装置において、前記データは、複数の基地局に前記交換機から分割して送信されたデータであって、受信した該分割データを合成することができる。これによって、データ容量の大きさに関わらず、確実にダウンロードを行うことができる。
【００２５】
また、前記携帯端末装置において、前記移動経路情報を、該携帯端末装置から入力することができる。これによって、より確実にデータをダウンロードすることができる。
【００２６】
さらに、本発明は、交換機を介して携帯端末装置とサーバ装置との間の通信を行う基地局であって、前記サーバ装置から前記携帯端末装置の前記移動経路情報に基づいて送信されたデータを前記交換機を介して受信し、受信した該データを記憶し、記憶した該データを前記携帯端末装置に送信し、該データを消去することを特徴とする。この基地局により、予め携帯端末装置が移動する経路が決定されていなくとも、最小限のネットワーク負荷と通信コストでサーバ装置から携帯端末装置へデータをダウンロードすることができる。
【００２７】
また、本発明は、基地局及びサーバ装置と通信し、携帯端末装置の通信可能域に存在する基地局を選択する交換機であって、前記サーバ装置から前記携帯端末装置の前記移動経路情報に基づいて送信されたデータを受信し、受信した該データ及び前記移動経路情報を記憶し、記憶した該データを該移動経路情報に基づいて前記基地局に送信し、該データ及び前記移動経路情報を消去することを特徴とする。この交換機により、予め携帯端末装置が移動する経路が決定されていなくとも、最小限のネットワーク負荷と通信コストでサーバ装置から携帯端末装置へデータをダウンロードすることができる。
【００２８】
前記交換機において、前記データを、前記移動経路情報に基づいて複数の基地局に分割して送信することができる。また、前記携帯端末装置の前記移動経路情報を、該交換機により、該携帯端末装置の過去の移動経路より推測し、前記サーバ装置に送信することができる。
【００２９】
さらに、本発明は、交換機及び基地局を介して携帯端末装置と通信するサーバ装置であって、前記携帯端末装置の移動経路情報を記憶し、該携帯端末装置からデータ取得要求を受信すると、前記取得要求を受けたデータ及び前記移動経路情報を前記交換機に送信することを特徴とする。このサーバ装置を用いることにより、予め携帯端末装置が移動する経路が決定されていなくとも、最小限のネットワーク負荷と通信コストで携帯端末装置へデータをダウンロードすることができる。
【発明の効果】
【００３０】
以上のように、本発明によれば、構内における携帯端末によってデータのダウンロードを行うにあたり、一度のダウンロード要求のみで、データ容量の大きさに関わらず、最小限のネットワーク負荷と通信コストで、確実にダウンロードを行うことが可能となる。
【発明を実施するための最良の形態】
【００３１】
次に、本発明の実施の形態について図面を参照しながら説明する。
【００３２】
図１に示すように、本発明にかかるデータ取得システム１は、大別して、携帯端末装置（以下、「携帯端末」という）２と、携帯端末２と通信する基地局（以下、「ＡＰ」という）３と、携帯端末２及びＡＰ３と通信するデータサーバ装置（以下、「サーバ」という）４と、ＡＰ３及びサーバ４と通信し、携帯端末２の通信可能域に存在するＡＰ３を選択する交換機（以下、「ＩＰ−ＰＢＸ」という）５とで構成される。
【００３３】
携帯端末２は、図２に示すように、データ取得要求を送信する送信部２ａと、データを受信する受信部２ｂと、分割データを合成する合成部２ｃと、データを表示する表示部２ｄと、装置全体を制御する制御部２ｅとで構成される。
【００３４】
ＡＰ３は、図３に示すように、ＩＰ−ＰＢＸ５（図１参照）からデータを受信する受信部３ａと、受信したデータを一時的に記憶する記憶部３ｂと、携帯端末２にデータを送信する送信部３ｃと、一時的に記憶されたデータを削除するデータ管理部３ｄと、装置全体を制御する制御部３ｅとで構成される。
【００３５】
サーバ４は、図４に示すように、データ、携帯端末２の移動経路情報を記憶する記憶部４ａと、データや携帯端末２の移動経路情報をＩＰ−ＰＢＸ５に送信する送信部４ｂと、装置全体を制御する制御部４ｃとで構成される。
【００３６】
ＩＰ−ＰＢＸ５は、図５に示すように、携帯端末２からデータ取得要求を受信するとともに、サーバ４から移動経路情報を受信する受信部５ａと、データを一時的に記憶する記憶部５ｂと、携帯端末２の移動経路情報に基づいて移動経路を特定する移動経路特定部（以下、「特定部」という）５ｃと、特定部５ｃによって特定されたＡＰ３を介して携帯端末２にデータを送信する送信部５ｄと、装置全体を制御する制御部５ｅとで構成される。
【００３７】
次に、上記本発明にかかるデータ取得システム１の具体的な動作について、図面を参照しながら説明する。
【００３８】
図６に示すように、本社１１と拠点１２とがＩＰ−ＶＰＮ３０により接続されたネットワーク環境において、本社１１にデータベース１５を有するＩＰ−ＰＢＸ１４及びサーバ１６が設置され、拠点１２の工場１３で動作するＡＰ１８、１９、２０、２１、２２及び携帯端末１７は、ＩＰ−ＰＢＸ１４により制御されている。
【００３９】
また、携帯端末１７には、ＩＰ−ＰＢＸ１４及びＡＰ１８、１９、２０、２１、２２が認識するための端末ＩＤ２４が、ＡＰ１８、１９、２０、２１、２２には、ＩＰ−ＰＢＸ１４が認識するためのＡＰ−ＩＤ２５、２６、２７、２８、２９が各々割り当てられている。
【００４０】
また、図７、図８及び図９のデータベース１５上には、携帯端末１７の端末ＩＤ、時刻、所在エリアのＡＰ−ＩＤをキーとした過去の移動経路履歴が記録されているものとする。
【００４１】
次に、図６と図１２を中心に参照しながら、上記システムの動作について詳細に説明する。
【００４２】
まず、ユーザ３１が携帯端末１７からＩＰ−ＰＢＸ１４に対して、データ３２のダウンロードを要求する（ステップＳ１）。
【００４３】
ＩＰ−ＰＢＸ１４は、ダウンロード要求を受信後、サーバ１６よりデータ３２をダウンロードし、データ３２を識別するための論理的な識別子としてデータ３２にデータＩＤを割り当て一時的に保存する（ステップＳ２）。
【００４４】
このとき、ＩＰ−ＰＢＸ１４は、前提条件で挙げたとおり、ユーザ３１の移動速度及び位置情報と、ＡＰ１８、１９、２０、２１、２２の伝送速度を認知しており、ＡＰ１８のエリア内で携帯端末１７がダウンロード可能なデータ容量を計算し（ステップＳ３）、データ３２のデータ容量と、ＡＰ１８のエリア内でダウンロード可能なデータ容量を比較する(ステップＳ４)。このとき、ＡＰ１８に一時保存データが存在する場合には、そのデータの容量をデータ２２に上乗せして比較する。
【００４５】
その結果、ＡＰ１８のエリア内で携帯端末１７がダウンロード可能なデータ容量が、データ３２のデータ容量よりも大きく、ＡＰ１８のエリア内でダウンロードを完了させることが可能であると判断すると、データ３２をＡＰ１８経由で携帯端末１７に転送する（ステップＳ５）。データ転送が完了すると、ＩＰ−ＰＢＸ１４が保存していたデータ３２の一時ファイルを削除する（ステップＳ６）。
【００４６】
一方、ＡＰ１８のエリア内で携帯端末１７が可能なデータ容量が、データ３２のデータ容量よりも小さく、ＡＰ１８のエリア内でのダウンロード完了が不可能であると判断すると、ＩＰ−ＰＢＸ１４は、携帯端末１７の端末ＩＤ、現在のエリアのＡＰ−ＩＤ２５、現在時刻４１をキーとして、データベース５から携帯端末１７の時刻別移動経路履歴情報を検索し（ステップＳ７）、次の移動先ＡＰとしてＡＰ１９を予測する（ステップＳ８）。
【００４７】
そして、ユーザ３１の移動速度及び位置情報と、ＡＰ１９の伝送速度からＡＰ１９のエリア内で携帯端末１７が可能なデータ容量を計算し（ステップＳ９）、データ３２のデータ容量と、ＡＰ１８、１９のエリア内でダウンロード可能なデータ容量の合計を比較する（ステップＳ１０、Ｓ１１）。このとき、ＡＰ１８、１９に一時保存データが存在する場合は、そのデータの容量をデータ３２に上乗せして比較する。
【００４８】
その結果、ＡＰ１８、１９のエリア内でダウンロード可能なデータ容量の合計がデータ３２のデータ容量よりも小さく、ＡＰ１９のエリア内でダウンロードを完了させることが不可能であると判断すると、ＩＰ−ＰＢＸ１４は、携帯端末１７の端末ＩＤ２４、現在のエリアのＡＰ−ＩＤ２６、現在時刻４１をキーとして、データベース１５から携帯端末１７の時刻別移動経路履歴情報を検索し（ステップＳ７）、次の移動先ＡＰとしてＡＰ２０を予測する（ステップＳ８）。
【００４９】
そして、ユーザ３１の移動速度及び位置情報とＡＰ２０の伝送速度からＡＰ２０のエリア内で携帯端末１７がダウンロード可能なデータ容量を計算し（ステップＳ９）、データ３２のデータ容量と、ＡＰ１８、１９、２０のエリア内でダウンロード可能なデータ容量の合計を比較する（ステップＳ１０、Ｓ１１）。このとき、ＡＰ１８、１９、２０に一時保存データが存在する場合には、そのデータの容量をデータ３２に上乗せして比較する。
【００５０】
その結果、ＡＰ１８、１９、２０のエリア内でダウンロード可能なデータ容量の合計が、データ３２のデータ容量より大きくなり、ＡＰ２０のエリア内でダウンロードを完了させることが可能であると判断すると、ＩＰ−ＰＢＸ１４は、データ３２をＡＰ１８、１９、２０の各々エリア内でダウンロード可能な分割データ３４、３５、３６に分割し（ステップＳ１２）、各々に対して識別するための分割データＩＤ３７、３８、３９を割り当てる（ステップＳ１３）。
【００５１】
同時に、ＩＰ−ＰＢＸ１４は、データベース１５に分割データ情報を登録する（ステップＳ１４）。そして、ＩＰ−ＰＢＸ１４は、分割データ３４、３５、３６を各々ＡＰ１８、１９、２０に転送する（ステップＳ１５）。このとき、各分割データにおいて、要求端末ＩＤは、端末ＩＤ２４、元データＩＤは、データＩＤ３３、元データの分割数は３となる。ＡＰ１８、１９、２０は、受信した分割データのデータ容量をＡＰ情報の一時保存データ総容量に反映させ（ステップＳ１６）、分割データ３４、３５、３６を一時的に保持する（ステップＳ１７）。
【００５２】
ＡＰ１８、１９、２０は、各々が保持している分割データ情報内の要求端末ＩＤと一致する端末ＩＤ２４を持つ携帯端末１７を自エリア内で認証すると（ステップＳ１８）、携帯端末１７に対して分割データを転送する（ステップＳ１９）。携帯端末１７は、分割データの元データＩＤと元データの分割数の確認を行い（ステップＳ２０）、分割データがすべて揃うと元データ３２の復元を行う（ステップＳ２１）。
【００５３】
携帯端末１７は、元データ３２の復元が完了すると、ＩＰ−ＰＢＸ１４に対して完了通知を送信する（ステップＳ２２）。
【００５４】
ＩＰ−ＰＢＸ１４は、携帯端末１７から完了通知を受信すると、ＡＰ１８、１９、２０に対して分割データ３４、３５、３６の削除要求を送信し、分割データの削除要求を受信したＡＰ１８、１９、２０は、各々保持している分割データ３４、３５、３６を削除する（ステップＳ２３）。そして、ＩＰ−ＰＢＸ１４が一時的に保持していたデータを削除する（ステップＳ２４）。
【００５５】
以上の動作で携帯端末１７によるデータ３３のダウンロード処理が完了する。
【００５６】
次に、本発明にかかるデータ取得システムの第２の実施の形態について説明する。尚、前述の実施形態における移動経路予測工程では、ＩＰ−ＰＢＸ１４は、携帯端末１７の過去の移動経路情報のみに依存して移動経路を予測しているが、携帯端末１７からダウンロード要求を受信した際、ＩＰ−ＰＢＸ１４が保持している移動経路情報リストを携帯端末１７に提供し、そのリストからユーザに希望する経路を選択し通知してもらうことで、経路を確実に決定することも可能である。
【００５７】
本実施形態において、新たに以下に示すデータ及び動作が必要となる。図１３は、本実施の形態において、ＩＰ−ＰＢＸ１４が保持するデータベース１５上に展開されたデータ構成を示す。
【００５８】
ＩＰ−ＰＢＸ１４は、図１１で示したＡＰ−ＩＤをキーとして、拡張情報としてＡＰの位置キーワードを知ることができる。この位置キーワードは、各ＡＰを任意のエリア単位でグループ分けしたものであり、ＩＰ−ＰＢＸ１４がＡＰ情報として予め保持するものとする。図６に示すＡＰ１８、１９、２０が工場１３内の特定のフロア（例えば、実験室Ａ）に設置されているとすると、ＡＰ１８、１９、２０の位置キーワードは、“実験室Ａ”になる。ＩＰ−ＰＢＸ１４は、この位置キーワードをユーザ３１に問い合わせることで、ユーザ３１の移動先を知ることができる。
【００５９】
図１４は、本発明の実施の形態において、ＩＰ−ＰＢＸ１４が保持するデータベース１５上に展開されたデータ構成を示す。ＩＰ−ＰＢＸ１４は、端末ＩＤをキーとして拡張移動経路履歴情報を検索・参照することができる。
【００６０】
図１５は、本発明の実施の形態において、ＩＰ−ＰＢＸ１４が保持するデータベース１５上に展開されたデータ構成を示す。ＩＰ−ＰＢＸ１４は、ユーザが現在位置するエリアのＡＰ−ＩＤをキーとしてキーワード別移動経路履歴情報を検索・参照することができる。
【００６１】
図１６は、本発明の実施の形態において、ＩＰ−ＰＢＸ１４が保持するデータベース１５上に展開されたデータ構成であり、図１５で得られる時刻別移動経路履歴情報の詳細データである。ＩＰ−ＰＢＸ１４は、ユーザの位置情報とユーザの選択した位置キーワードに基づいて過去の移動経路履歴情報を検索・参照する。
【００６２】
図１７は、図１２の移動経路予測手段において、本実施の形態を導入した際の動作をフローチャートに示したものである。
【００６３】
図１３乃至図１７を参照しながら、第２の実施の形態における移動経路予測の動作について説明する。尚、その他の動作は、前述の形態と同様であるため省略する。
【００６４】
ＩＰ−ＰＢＸ１４は、携帯端末１７からのダウンロード要求受信時に、ユーザ３１に対して位置キーワードリストを送信し、移動先を問い合わせる（ステップＳ２５）。
【００６５】
ユーザ３１は、位置キーワードリストを受信後、その中から位置キーワードを選択し、ＩＰ−ＰＢＸ１４に返信する（ステップＳ２６）。
【００６６】
移動先の位置キーワードを受信したＩＰ−ＰＢＸ１４は、ユーザの位置情報と位置キーワードをキーにして、ユーザ３１が選択した位置キーワードに対する過去の移動経路履歴情報を検索し（ステップＳ２７）、その結果をユーザ３１に送信する（ステップＳ２８）。
【００６７】
ユーザ３１は、移動経路履歴情報を受信すると、その中から希望する経路を選択し、ＩＰ−ＰＢＸ１４に返信する（ステップＳ２９）。
【００６８】
以上の操作を、図１２のステップＳ１とステップＳ２の間に前処理として行うことで、ＩＰ−ＰＢＸ１４とユーザ３１との間で移動経路に関する意志の統一を図ることができるため、ステップＳ７、Ｓ８の移動経路予測が不要となり、以後のダウンロード処理の確実性が向上し、ＩＰネットワークの負荷とコストを最小限に抑えることが可能となる。
【図面の簡単な説明】
【００６９】
【図１】本発明にかかるデータ取得システムの一実施の形態を示す全体構成図である。
【図２】図１のデータ取得システムの携帯端末を示す機能構成図である。
【図３】図１のデータ取得システムのＡＰを示す機能構成図である。
【図４】図１のデータ取得システムのサーバを示す機能構成図である。
【図５】図１のデータ取得システムのＩＰ−ＰＢＸを示す機能構成図である。
【図６】図１のデータ取得システムの具体的な動作を説明するための全体構成図である。
【図７】図１のデータ取得システムにおいて、ＩＰ−ＰＢＸが保持するデータベース上に展開された携帯端末の情報管理テーブルである。
【図８】図１のデータ取得システムにおいて、ＩＰ−ＰＢＸが保持するデータベース上に展開された携帯端末の移動経路履歴情報管理テーブルである。
【図９】図１のデータ取得システムにおいて、ＩＰ−ＰＢＸが保持するデータベース上に展開された携帯端末の時刻別移動経路履歴情報管理テーブルである。
【図１０】図１のデータ取得システムにおいて、ＩＰ−ＰＢＸが保持するデータベース上に展開された分割データ情報管理テーブルである。
【図１１】図１のデータ取得システムにおいて、ＩＰ−ＰＢＸが保持するデータベース上に展開されたアクセスポイント情報管理テーブルである。
【図１２】図１のデータ取得システムにおいて、携帯端末からデータのダウンロードを要求した場合の動作を示すフローチャートである。
【図１３】図１のデータ取得システムにおいて、ＩＰ−ＰＢＸが保持するデータベース上に展開された拡張アクセスポイント情報管理テーブルである。
【図１４】本発明の他の実施の形態において、ＩＰ−ＰＢＸが保持するデータベース上に展開された拡張携帯端末の情報管理テーブルである。
【図１５】本発明の他の実施の形態において、ＩＰ−ＰＢＸが保持するデータベース上に展開された携帯端末のキーワード別移動経路履歴情報管理テーブルである。
【図１６】本発明の他の実施の形態において、ＩＰ−ＰＢＸが保持するデータベース上に展開された携帯端末の拡張移動履歴情報管理テーブルである。
【図１７】図１のデータ取得システムにおいて、ユーザによる移動経路決定処理の動作を示すフローチャートである。
【符号の説明】
【００７０】
１  データ取得システム
２  携帯端末
２ａ  送信部
２ｂ  受信部
２ｃ  合成部
２ｄ  表示部
２ｅ  制御部
３  ＡＰ
３ａ  受信部
３ｂ  記憶部
３ｃ  送信部
３ｄ  データ管理部
３ｅ  制御部
４  サーバ
４ａ  記憶部
４ｂ  送信部
４ｃ  制御部
５  ＩＰ−ＰＢＸ
５ａ  受信部
５ｂ  記憶部
５ｃ  特定部
５ｄ  送信部
５ｅ  制御部
１１  本社
１２  拠点
１３  工場
１４  ＩＰ−ＰＢＸ
１５  データベース
１６  サーバ
１７  携帯端末
１８〜２２  ＡＰ
２４  端末ＩＤ
２５〜２９  ＡＰ−ＩＤ
３０  ＩＰ−ＶＰＮ
３１  ユーザ
３２  データ
３３  データＩＤ
３４〜３６  分割データ
３７〜３９  分割データＩＤ
４１  時刻
【図１】
2007300566.tif 000003
【図２】
2007300566.tif 000004
【図３】
2007300566.tif 000005
【図４】
2007300566.tif 000006
【図５】
2007300566.tif 000007
【図６】
2007300566.tif 000008
【図７】
2007300566.tif 000009
【図８】
2007300566.tif 000010
【図９】
2007300566.tif 000011
【図１０】
2007300566.tif 000012
【図１１】
2007300566.tif 000013
【図１２】
2007300566.tif 000014
【図１３】
2007300566.tif 000015
【図１４】
2007300566.tif 000016
【図１５】
2007300566.tif 000017
【図１６】
2007300566.tif 000018
【図１７】
2007300566.tif 000019